(57)【要約】【課題】  表面に形成されるパイルよこ糸の畝の凹凸模様を任意の形状にしたコーデュロイを提供すること。【解決手段】  たて糸１３に、地よこ糸１４とパイルよこ糸１５を互いに浮沈させながら交錯させることにより、たて糸１３と地よこ糸１４とからなる地組織１６と、地組織１６に絡んだパイルよこ糸１５とからなるコーデュロイ用生地１０ａを製織した。そして、コーデュロイ生地１０ａの表面側のパイルよこ糸１５の所定部分を切断することによりコーデュロイ用生地１０ａの表面に凹凸模様１２を形成してコーデュロイ１０を構成した。また、この凹凸模様１２が、所定の文字や図形の形状になるようにした。また、このコーデュロイ１０をジーンズ１１の生地として用いた。【選択図】  図２
0003119372.tif 000002
【実用新案登録請求の範囲】
【請求項１】
たて糸に、地よこ糸とパイルよこ糸を互いに浮沈させながら交錯させることにより、前記たて糸と前記地よこ糸とからなる地組織と、前記地組織に絡んだ前記パイルよこ糸とからなるコーデュロイ用生地を製織し、前記コーデュロイ生地の表面側のパイルよこ糸の所定部分を前記たて糸が延びる方向に沿って切断して前記コーデュロイ用生地の表面に凹凸模様を形成することによって構成されるコーデュロイであって、
前記パイルよこ糸を切断して前記コーデュロイ用生地の表面に形成される凹凸模様が所定の文字や図形の形状になるように前記パイルよこ糸が切断されていることを特徴とするコーデュロイ。
【請求項２】
衣料用の生地として用いられる請求項１に記載のコーデュロイ。
【請求項３】
前記パイルよこ糸の切断面が表面に露出することにより、前記凹凸模様の部分の色が他の部分の色と異なる色になっている請求項１または２に記載のコーデュロイ。
【考案の詳細な説明】
【技術分野】
【０００１】
本考案は、文字や図形等の所定の形状に形成された凹凸模様を備えたコーデュロイに関する。
【背景技術】
【０００２】
従来から、コーデュロイは、保温性、吸湿性に優れるため、主として冬の外衣に利用されている。このコーデュロイは、たて糸に地よこ糸を織り合わせて地組織を形成するとともに、その地組織のたて糸に地よこ糸と平行するパイルよこ糸を織り合わせ、そのパイルよこ糸の地組織の表面側に位置する所定部分を切断することによって、パイルよこ糸を地組織の表面で立毛させることにより製造されている。そして、このパイルよこ糸における地組織の表面から立った部分を解毛して膨らますことによって、たて糸に沿った畝が形成される。
【考案の開示】
【０００３】
しかしながら、従来のコーデュロイでは、たて糸とよこ糸で形成される地組織に、畝の凹凸によって形成される縞模様等の単純な模様が施されているだけで、畝の凹凸模様によるデザインに限りがあり興趣に欠けるという問題が生じていた。
【０００４】
本考案は、前述した問題に対処するためになされたもので、その目的は、表面に形成されるパイルよこ糸の畝の凹凸模様を任意の形状にしたコーデュロイを提供することである。
【０００５】
前述した目的を達成するため、本考案に係るコーデュロイの構成上の特徴は、たて糸に、地よこ糸とパイルよこ糸を互いに浮沈させながら交錯させることにより、たて糸と地よこ糸とからなる地組織と、地組織に絡んだパイルよこ糸とからなるコーデュロイ用生地を製織し、コーデュロイ生地の表面側のパイルよこ糸の所定部分をたて糸が延びる方向に沿って切断してコーデュロイ用生地の表面に凹凸模様を形成することによって構成されるコーデュロイであって、パイルよこ糸を切断してコーデュロイ用生地の表面に形成される凹凸模様が所定の文字や図形の形状になるようにパイルよこ糸が切断されていることにある。
【０００６】
前記したように構成した本考案に係るコーデュロイでは、パイルよこ糸の切断する部分を所定の文字や図形の形状にしているため、その部分に所定の文字や図形の形状の畝が形成される。すなわち、たて糸と地よこ糸とからなる平面状の地組織の表面に、パイルよこ糸の切断された部分が盛り上がって畝を形成するため、畝の凹凸模様は、所定の文字や図形の形状になる。このため、パイルよこ糸の切断する部分を適宜選択することにより、コーデュロイに任意の凹凸模様を形成することができる。また、この場合、畝の形成は、文字や図形の全体にわたって設けてもよいし、文字や図形の輪郭部分だけに設けてもよい。また、コーデュロイ用生地の大部分にわたって設けてもよいし、所定の一部分だけに設けてもよい。
【０００７】
また、本考案に係るコーデュロイの他の構成上の特徴は、衣料用の生地として用いられることにある。これによると、凹凸模様が形成された興趣に富んだ衣料を得ることができる。
【０００８】
また、本考案に係るコーデュロイのさらに他の構成上の特徴は、パイルよこ糸の切断面が表面に露出することにより、凹凸模様の部分の色が他の部分の色と異なる色になっていることにある。例えば、所定の染色が施されたコーデュロイ用生地の所定部分のパイルよこ糸を切断することにより凹凸模様を形成すると、パイルよこ糸の切断面は染色されていないか、またはうすい色に染色されている。したがって、凹凸模様は、凹凸形状だけでなく色も他の部分と異なるようになるため、さらに興趣に富むものとなる。
【考案を実施するための最良の形態】
【０００９】
以下、本考案の一実施形態を図面を用いて説明する。図１は同実施形態に係るコーデュロイ１０を備えたジーンズ１１の一部を示している。このコーデュロイ１０は、ジーンズ１１のポケットを構成する生地として用いられており、表面に「Ｃｙｃｏ」の文字からなる凹凸模様１２が形成されている。この凹凸模様１２は、図２に示したように、山形の凸部と谷形の凹部からなる凹凸形状が、左右方向に所定間隔を保って設けられて縞模様に形成されている。また、このジーンズ１１は紺色に染色されている。
【００１０】
このコーデュロイ１０は、製織装置（図示せず）を用いて製織され、製織に際しては下記の各工程が行われる。まず、たて糸に製織をし易くするための糊を塗布し、そのたて糸を製織装置に取り付ける。ついで、たて糸に地よこ糸とパイルよこ糸を織り込む織布工程、パイルよこ糸の所定部分を切断するカッティング工程、コーデュロイ特有の凹凸感を出すための仕上げ工程の各工程が行われる。そして、得られた織物組織に、染色、縫製等の各工程による処理が行われる。
【００１１】
織布工程において得られる凹凸模様１２が形成される前のコーデュロイ用生地は、図３に示した構造になっている。すなわち、図３は、コーデュロイ用生地１０ａの断面の一部を示しており、このコーデュロイ用生地１０ａは、一定間隔で並べられた複数のたて糸１３に直交し、かつたて糸１３の表裏に対して浮沈させながら、地よこ糸１４とパイルよこ糸１５とを織り込むことによって形成されている。すなわち、地よこ糸１４ａは、たて糸１３ａの上部側に絡み、つぎのたて糸１３ｂの下部側に絡んだのちつぎのたて糸１３ｃの上部側に絡み、さらにつぎのたて糸１３ｄの下部側に絡むといった交錯を繰り返すことによって、たて糸１３に織り込まれている。
【００１２】
地よこ糸１４ａの隣に位置する地よこ糸１４ｂは、たて糸１３ａの下部側に絡み、つぎのたて糸１３ｂ上部側に絡んだのちつぎのたて糸１３ｃの下部側に絡み、さらにつぎのたて糸１３ｄの上部側に絡むといった交錯を繰り返すことによって、地よこ糸１４ａと表面に露出する部分を逆にしてたて糸１３に織り込まれている。そして、さらに地よこ糸１４ｂの隣側に位置する複数の地よこ糸１４（図示せず）が、隣あった地よこ糸１４どうしが表面に露出する部分を逆にしてたて糸１３織り込まれており、これらのたて糸１３と地よこ糸１４によってコーデュロイ用生地１０ａの地組織１６が形成されている。
【００１３】
パイルよこ糸１５は、各地よこ糸１４ａ，１４ｂ等の間に平行して織り込まれている。パイルよこ糸１５ａは、たて糸１３ａの下部側に絡んだのちに、たて糸１３ｂ，１３ｃ，１３ｄ，１３ｅ，１３ｆ，１３ｇの上部側に絡んで表面に露出し、さらにつぎのたて糸１３ｈの下部側に絡んだのち、つぎのたて糸１３ｉから数本さきのたて糸１３までの間では表面に露呈している。そして、さらに所定のたて糸１３の下部側に絡んだのち表面に露出することを繰り返すことによって、たて糸１３に織り込まれている。
【００１４】
パイルよこ糸１５ｂは、パイルよこ糸１５ａとは異なるパターンで各たて糸１３の上部側と下部側に絡んで浮沈しながら地組織１６に織り込まれている。このパイルよこ糸１５ｂおよびパイルよこ糸１５ａは、ともにたて糸１３の下部側に絡んで沈む場合は、そのたて糸１３は１本または２本だけで、上部側に絡んで浮く場合のたて糸１３は所定の数本になるように設定されている。そして、さらに複数のパイルよこ糸１５が地組織１６に織り込まれている。このようにして、たて糸１３に、地よこ糸１４とパイルよこ糸１５を順次織り込んで大きなコーデュロイ用生地１０ａが形成される。
【００１５】
そして、カッティング工程において、パイルよこ糸１５における、図３に二点差線ａ，ｂで示した部分を切断することにより、図４に示した畝１７ａ，１７ｂ等をコーデュロイ用生地１０ａの表面に形成する。この畝１７ａ，１７ｂ等はコーデュロイ用生地１０ａの表面における図１および図２の凹凸模様１２の部分だけに形成される。すなわち、図２に破線ｃで示した部分（破線ｃは一部にしか記載していないが凹凸模様１２を除く全ての部分である。）は、パイルよこ糸１５を切断していない部分であり、実線ｄで示した部分がパイルよこ糸１５を切断した部分である。
【００１６】
この実線ｄの部分に畝１７ａ，１７ｂ等が形成される。なお、このパイルよこ糸１５の切断に際しては、所定のカッター装置（図示せず）を用いて切断したり、凹凸模様１２が複雑な形状の場合には、手作業で切断したりすることができる。また、ジーンズ１１におけるポケットを構成するコーデュロイ１０以外の部分は、パイルよこ糸１５を切断する処理は行わず、コーデュロイ用生地１０ａをそのまま次の工程で処理する。
【００１７】
このようにして得られたコーデュロイ用生地１０ａおよびコーデュロイ１０の生地には、仕上げ工程において、糊抜き、ウィンス、ブラッシング、毛焼の各処理が行われる。糊抜きは、最初の工程でたて糸１３に塗布した糊を取り除く処理で酵素剤等を用いて行われる。つぎに行うウィンスは、カッティング工程で切断されたパイルよこ糸１５の立毛した部分を解毛して膨張させる処理で、コーデュロイ１０の生地をロープ状にしてたたき槽の中に入れ枠でもみながら解毛する。
【００１８】
ついで、コーデュロイ１０の生地を帯状に広げロールに巻きつけて加熱することにより乾燥するとともに、ブラッシングしてさらにパイルよこ糸１５を立たせる。そして、加熱したローラの表面に、コーデュロイ１０の生地の表面を接触させる毛焼が行われる。これによって、無駄な毛が焼き払われ、すっきりした畝立ちのコーデュロイ１０が得られる。そして、このコーデュロイ１０およびコーデュロイ用生地１０ａに紺色の染料による染色を行ったのちに、縫製が行われコーデュロイ用生地１０ａおよびコーデュロイ１０は所定の形状のジーンズ１１に加工される。
【００１９】
このように、本実施形態に係るコーデュロイ１０では、パイルよこ糸１５の切断する部分を「Ｃｙｃｏ」の文字形状にしているため、その部分に形成される凹凸模様１２が表面に浮き出た畝からなる「Ｃｙｃｏ」の文字になる。このため、コーデュロイ用生地１０ａおよびコーデュロイ１０を用いて製造されたジーンズ１１は興趣に富むものとなる。
【００２０】
また、前述したジーンズ１１を製造する方法として、ウィンス、ブラッシング、毛焼の各処理を省略して、カッティング工程を染色の後に行ったり縫製の後に行ったりすることもできる。これによると、パイルよこ糸１５の染色されていない切断面が露出するため凹凸模様１２の部分が濃度のうすい淡い紺色になる。したがって、ポケットの凹凸模様１２は、凹凸形状だけでなく色もジーンズ１１の他の部分と異なるようになるため、さらに興趣に富むものとなる。
【００２１】
また、本考案に係るコーデュロイは前述した実施形態に限るものでなく、適宜変更して実施することができる。例えば、前述した実施形態では、コーデュロイ１０をジーンズ１１のポケットの部分に用いているが、このコーデュロイ１０は、ポケットに限らずジーンズ１１の本体側部分にも用いることができる。また、ジーンズ１１に限らず他の衣料に用いたり、カーテンやテーブルクロス等に用いたりすることもできる。
【図面の簡単な説明】
【００２２】
【図１】本考案の一実施形態によるコーデュロイを備えたジーンズの一部を示した正面図である。
【図２】コーデュロイに形成された凹凸模様を示した正面図である。
【図３】コーデュロイ用生地を示した断面図である。
【図４】コーデュロイ用生地のパイルよこ糸を切断した状態を示した断面図である。
【符号の説明】
【００２３】
１０…コーデュロイ、１０ａ…コーデュロイ用生地、１１…ジーンズ、１２…凹凸模様、１３，１３ｂ，１３ｃ，１３ｄ，１３ｅ，１３ｆ，１３ｇ…たて糸、１４，１４ａ，１４ｂ…地よこ糸、１５，１５ａ，１５ｂ…パイルよこ糸、１６…地組織。
【図１】
0003119372.tif 000003
【図２】
0003119372.tif 000004
【図３】
0003119372.tif 000005
【図４】
0003119372.tif 000006